(57)【要約】      （修正有）【課題】メディアの複数が少なくなり保管場所の確保が容易で、しかも再生操作が容易になる等のメディアの利便性が向上する情報記録装置を提供する。【解決手段】複数の情報源から情報を記録する情報記録装置１において、複数の情報源のうち、重複する情報は１個のみを記録する手段を備える。【選択図】図１
2004342272.tif 000002
【特許請求の範囲】
【請求項１】
複数の情報源から情報を記録する情報記録装置において、
前記複数の情報源のうち、重複する情報は１個のみを記録する手段を備えることを特徴とする情報記録装置。
【請求項２】
複数の情報源から情報を記録する情報記録装置において、
前記複数の情報源のうち、ファイル名が同じでも、内容が全く同じで無いものはそれぞれ記録する手段を備えることを特徴とする情報記録装置。
【請求項３】
複数の情報源から情報を記録する情報記録装置において、
前記複数の情報源のうち、ファイル名が同じではなくとも、内容が全く同じ場合は１個のみを記録する手段を備えることを特徴とする情報記録装置。
【請求項４】
複数の情報源から情報を記録する情報記録装置において、
複数の情報源からのコンテンツの複製する権利を確認する手段を備えることを特徴とする情報記録装置。
【請求項５】
複数の情報源から情報を記録する情報記録装置において、
複数の情報源からのコンテンツを記録する際に、費用が発生する場合には、その金額を記録する前に確認できることを特徴とする情報記録装置。
【請求項６】
複数の情報源から情報を記録する情報記録装置において、
複数の情報源からのコンテンツの複製する際に、有料で使用できる新たなコンテンツを追加記録することを特徴とする情報記録装置。
【請求項７】
前記追加記録において、その金額を記録する前に確認できることを特徴とする請求項６に記載の情報記録装置。
【請求項８】
複数の情報源から情報を記録する情報記録装置において、
複数の情報源からのコンテンツの複製する際に、無料で使用できる新たなコンテンツを追加記録することを特徴とする情報記録装置。
【請求項９】
情報を記録する情報記録装置において、
情報の分類タイトルを作り直す手段を備えることを特徴とする情報記録装置。
【請求項１０】
前記情報の分類タイトルは、年代を示すタイトルは総合することを特徴とする請求項９に記載の情報記録装置。
【請求項１１】
前記情報の分類タイトルは、静止画像、動画、その他データを時間軸でそろえ直すことを特徴とする請求項９に記載の情報記録装置。
【請求項１２】
情報を記録する情報記録装置において、
メニューを作り直す手段を備えることを特徴とする情報記録装置。
【請求項１３】
情報を記録する情報記録装置において、
ダイジェスト版を作り直す手段を備えることを特徴とする情報記録装置。
【請求項１４】
前記ダイジェスト版は、内容の重要部分を集めたダイジェスト版に作り直すことを特徴とする請求項１３に記載の情報記録装置。
【請求項１５】
前記重要場面は、表情、年中行事、場所、動作のいずれかを含むことを特徴とする請求項１４に記載の情報記録装置。
【請求項１６】
情報を記録する情報記録装置において、
前記情報の圧縮方法を最新のものにして記録する手段を備えることを特徴とする情報記録装置。
【請求項１７】
情報を記録する情報記録装置において、
前記自動人物判定及び／または内容の重要部分抽出を最新の方式を用いて付与し直す手段を備えることを特徴とする情報記録装置。
【請求項１８】
情報を記録する情報記録装置において、
前記特定人物の削除及び／または表示禁止する手段を備えることを特徴とする情報記録装置。
【請求項１９】
前記記録する情報の複製する権利を前払いによりメディアに付与することを特徴とする請求項１乃至請求項１８のいずれか１項に記載の情報記録装置。
【請求項２０】
前記記録する情報のメディアの表面に印刷する画像、タイトルを変更することを特徴とする請求項１乃至請求項１８のいずれか１項に記載の情報記録装置。
【請求項２１】
前記記録する情報のカラーマネジメントを最新のものにすることを特徴とする請求項１乃至請求項１８のいずれか１項に記載の情報記録装置。
【請求項２２】
前記記録する情報の撮影日時範囲の指定することを特徴とする請求項１乃至請求項１８のいずれか１項に記載の情報記録装置。
【発明の詳細な説明】
【０００１】
【発明の属する技術分野】
この発明は、複数の情報源から情報を記録することが可能な情報記録装置に関する。
【０００２】
【従来の技術】
ユーザは、例えば、子供の成長の記録として、日常の遊び、運動会等の行事の情景をアナログカメラ、あるいはデジタルカメラ、さらにはビデオカメラ等で  撮影し、映像を、写真プリント、ＤＶＤやビデオテープ等のメディアに記録して保存している。
【０００３】
一方、メディアでデジタル情報として記録されたものを再生する装置としては、例えばプログラム再生機能が設けられ、ユーザがプログラムモード下で数字キーを用いて曲番を入力すると、順に、システムマイクロコンピュータのＲＡＭのプログラムファイルに登録がなされ、そして登録完了後、ユーザがＰＬＡＹキーをオンすると、プログラムファイルでのプログラム番号順に、プログラム再生するものがある（例えば特許文献１）。
【０００４】
【特許文献１】
実開平７−３２７８５号公報（第１〜第９頁、図１〜図８）
【０００５】
【発明が解決しようとする課題】
ところで、特に子供の成長の記録等は、長い年月で、しかも種々な撮像手段で撮影した画像情報を記録したメディアが複数たまると嵩張る。また、技術の進歩で新たな高密度メディアが登場している。そこで、複数枚たまったメディアを次世代高密度メディアに移し替え、再生装置で再生できるようにすると、メディアの複数が少なくなり保管場所の確保が容易になる。
【０００６】
この発明は、かかる実情に鑑みてなされたもので、メディアの複数が少なくなり保管場所の確保が容易で、しかも再生操作が容易になる等のメディアの利便性が向上する情報記録装置を提供することを目的としている。
【０００７】
【課題を解決するための手段】
前記課題を解決し、かつ目的を達成するために、この発明は、以下のように構成した。
【０００８】
請求項１に記載の発明は、複数の情報源から情報を記録する情報記録装置において、
前記複数の情報源のうち、重複する情報は１個のみを記録する手段を備えることを特徴とする情報記録装置である。
【０００９】
この請求項１に記載の発明によれば、複数の情報源のうち、重複する情報は１個のみを記録することで、重複する不要な情報を除くことができる。
【００１０】
請求項２に記載の発明は、複数の情報源から情報を記録する情報記録装置において、
前記複数の情報源のうち、ファイル名が同じでも、内容が全く同じで無いものはそれぞれ記録する手段を備えることを特徴とする情報記録装置である。
【００１１】
この請求項２に記載の発明によれば、複数の情報源のうち、ファイル名が同じでも、内容が全く同じで無いものはそれぞれ記録することで、ファイル名が同じでも重複しない必要な情報が削除されることを防止することができる。この場合、ファイル名を変更するか、別のディレクトリに収録するなどして、紛れないように記録することが望ましい。
【００１２】
請求項３に記載の発明は、複数の情報源から情報を記録する情報記録装置において、
前記複数の情報源のうち、ファイル名が同じではなくとも、内容が全く同じ場合は１個のみを記録する手段を備えることを特徴とする情報記録装置である。
【００１３】
この請求項３に記載の発明によれば、複数の情報源のうち、ファイル名が同じではなくとも、内容が全く同じ場合は１個のみを記録することで、ファイル名が異なっていても重複する不要な情報を除くことができる。
【００１４】
請求項４に記載の発明は、複数の情報源から情報を記録する情報記録装置において、
複数の情報源からのコンテンツの複製する権利を確認する手段を備えることを特徴とする情報記録装置である。
【００１５】
この請求項４に記載の発明によれば、コンテンツとは、音楽、動画、静止画、データ等の形態であり、コンテンツの権利を確認するもので、不正行為なく安全、合法な複製ができる。この確認は、著作権に関して問合せに答えるサーバに問い合わせる等の手段で行う。コンテンツは顧客の記念日にちなんだ流行歌やニュースなど、顧客のデータに更に魅力を付け加えるものである。
【００１６】
請求項５に記載の発明は、複数の情報源から情報を記録する情報記録装置において、
複数の情報源からのコンテンツを記録する際に、費用が発生する場合には、その金額を記録する前に確認できることを特徴とする情報記録装置である。
【００１７】
この請求項５に記載の発明によれば、コンテンツの複製が有料である場合は、顧客にそれを確認することができる。顧客は、支払いたくなければ、そのコンテンツを複製しない等の手段を取れるものとする。
【００１８】
請求項６に記載の発明は、複数の情報源から情報を記録する情報記録装置において、
複数の情報源からのコンテンツの複製する際に、有料で使用できる新たなコンテンツを追加記録することを特徴とする情報記録装置である。
【００１９】
この請求項６に記載の発明によれば、有料コンテンツの追加記録により、新メデイアをさらに思い出深い、魅力あるものとすることができる。
【００２０】
請求項７に記載の発明は、前記追加記録において、その金額を記録する前に確認できることを特徴とする請求項６に記載の情報記録装置である。
【００２１】
この請求項７に記載の発明によれば、有料コンテンツの金額は、顧客はそれを確認することができる。顧客は、顧客の予算粋と比較しながら、コンテンツの採用、不採用を選択できることが望ましい。
【００２２】
請求項８に記載の発明は、複数の情報源から情報を記録する情報記録装置において、
複数の情報源からのコンテンツの複製する際に、無料で使用できる新たなコンテンツを追加記録することを特徴とする情報記録装置である。
【００２３】
この請求項８に記載の発明によれば、無料で使用できる新たなコンテンツを追加記録することで、特別な追加料金無く新メデイアをさらに思い出深い、魅力あるものとすることができる。
【００２４】
請求項９に記載の発明は、情報を記録する情報記録装置において、
情報の分類タイトルを作り直す手段を備えることを特徴とする情報記録装置である。
【００２５】
この請求項９に記載の発明によれば、情報の分類タイトルを作り直し、最適で好ましいタイトルにすることができる。
【００２６】
請求項１０に記載の発明は、前記情報の分類タイトルは、年代を示すタイトルは総合することを特徴とする請求項９に記載の情報記録装置である。
【００２７】
この請求項１０に記載の発明によれば、年代を示すタイトルは総合することで、内容に応じたタイトルになり、再生する場合にも便利である。
【００２８】
請求項１１に記載の発明は、前記情報の分類タイトルは、静止画像、動画、その他データを時間軸でそろえ直すことを特徴とする請求項９に記載の情報記録装置である。
【００２９】
この請求項１１に記載の発明によれば、情報の分類タイトルは、静止画像、動画、その他データを時間軸でそろえ直すことで、時間軸に応じて自然な再生が可能になる。
【００３０】
請求項１２に記載の発明は、情報を記録する情報記録装置において、
メニューを作り直す手段を備えることを特徴とする情報記録装置である。
【００３１】
この請求項１２に記載の発明によれば、メニューを作り直すことで、記録内容に応じたメニューができ、再生等に便利である。
【００３２】
請求項１３に記載の発明は、情報を記録する情報記録装置において、
ダイジェスト版を作り直す手段を備えることを特徴とする情報記録装置である。
【００３３】
この請求項１３に記載の発明によれば、ダイジェスト版を作り直すことで、記録内容に応じたダイジェスト版にすることができる。
【００３４】
請求項１４に記載の発明は、前記ダイジェスト版は、内容の重要部分を集めたダイジェスト版に作り直すことを特徴とする請求項１３に記載の情報記録装置である。
【００３５】
この請求項１４に記載の発明によれば、ダイジェスト版は、内容の重要部分を集めたダイジェスト版に作り直すことで、最適で、かつ限られた容量のダイジェスト版にすることができる。
【００３６】
請求項１５に記載の発明は、前記重要場面は、表情、年中行事、場所、動作のいずれかを含むことを特徴とする請求項１４に記載の情報記録装置である。
【００３７】
この請求項１５に記載の発明によれば、重要場面は、表情、年中行事、場所、動作のいずれかを含むこと、好みや必要に応じたダイジェスト版を作ることができる。
【００３８】
請求項１６に記載の発明は、情報を記録する情報記録装置において、
前記情報の圧縮方法を最新のものにして記録する手段を備えることを特徴とする情報記録装置である。
【００３９】
この請求項１６に記載の発明によれば、情報の圧縮方法を最新のものにして記録することで、限られた記憶容量に多くの情報を記憶することができる。
【００４０】
請求項１７に記載の発明は、情報を記録する情報記録装置において、
前記自動人物判定及び／または内容の重要部分抽出を最新の方式を用いて付与し直す手段を備えることを特徴とする情報記録装置である。
【００４１】
この請求項１７に記載の発明によれば、自動人物判定及び／または内容の重要部分抽出を最新の方式を用いて付与し直すことで、簡単かつ確実に画像処理を行なうことができる。
【００４２】
請求項１８に記載の発明は、情報を記録する情報記録装置において、
前記特定人物の削除及び／または表示禁止する手段を備えることを特徴とする情報記録装置である。
【００４３】
この請求項１８に記載の発明によれば、特定人物の削除及び／または表示禁止することで、例えば離婚、離別した人物の写っている画像の扱いを変更することができる。
【００４４】
請求項１９に記載の発明は、前記記録する情報の複製する権利を前払いによりメディアに付与することを特徴とする請求項１乃至請求項１８のいずれか１項に記載の情報記録装置である。
【００４５】
この請求項１９に記載の発明によれば、記録する情報の複製する権利を前払いによりメディアに付与することで、確実に料金を徴収することができる。
【００４６】
請求項２０に記載の発明は、前記記録する情報のメディアの表面に印刷する画像、タイトルを変更することを特徴とする請求項１乃至請求項１８のいずれか１項に記載の情報記録装置である。
【００４７】
この請求項２０に記載の発明によれば、記録する情報のメディアの表面に印刷する画像、タイトルを変更することで、メディアの保管や整理に便利である。
【００４８】
請求項２１に記載の発明は、前記記録する情報のカラーマネジメントを最新のものにすることを特徴とする請求項１乃至請求項１８のいずれか１項に記載の情報記録装置である。
【００４９】
この請求項２１に記載の発明によれば、記録する情報のカラーマネジメントを最新のものにすることで、最新の分析技術により解析し、判定しなおすかどうかを判断できる。
【００５０】
請求項２２に記載の発明は、前記記録する情報の撮影日時範囲の指定することを特徴とする請求項１乃至請求項１８のいずれか１項に記載の情報記録装置である。
【００５１】
この請求項２２に記載の発明によれば、記録する情報の撮影日時範囲の指定することで、例えば子供が独立するときに等に、ある範囲以降に限定するなどの使い方ができる。
【００５２】
【発明の実施の形態】
以下、この発明の情報記録装置の実施の形態を図面に基づいて説明するが、この発明は、この実施の形態に限定されない。また、この発明の形態は、発明の最も好ましい形態を示すものであり、この発明の用語の意義は、これに限定されない。
【００５３】
図１は情報記録装置の概略構成図である。この実施の形態では、情報記録装置１がサーバ２を介して回線３に接続されている。この情報記録装置１は、複数の情報源、例えばビデオテープ、ＤＶＤ、ＣＤ等のメディア４、放送、ネットワーク等の回線３から画像及び／又は音楽が入力される。また、情報記録装置１には、スキャナ５が接続され、写真プリント等のメディア４から画像が入力可能である。
【００５４】
図２は情報記録装置の新メディア作成フローチャートである。この実施の形態の情報記録装置１では、複数の情報源、例えばビデオテープ、ＤＶＤ、ＣＤ等のメディア４、放送、ネットワーク等の回線３から画像及び／又は音楽が入力され、この複数メディアの登録を行ない（Ｓ１）、この複数メディアの内容の一覧表作成する（Ｓ２）。
【００５５】
そして、ファイル内容の同一性調査と処理を行なう（Ｓ３）。例えば、同一ファイルは１つのみ残す処理を行ない、ファイル名が同じで内容の違うファイルの処理を行なう。
【００５６】
次に、参照データ再構築の処理を行なう（Ｓ４）。例えば、重要場面判定の処理、主要人物の指定または検索の処理、同一人物の指定の処理、削除する人物の指定の処理を行なう。
【００５７】
さらに、仕様の変更と確認の処理を行なう（Ｓ５）。例えば、色調の統一の指定の処理、タイトル変更と確認の処理、メニュー変更と確認の処理、ダイジェスト版変更と確認の処理、撮影日時範囲指定の処理を行なう。
【００５８】
そして、コンテンツの指定の内容の判断を行ない（Ｓ６）、音楽のみの場合は、音楽の指定を行ない（Ｓ７）、音楽以外のコンテンツも指定する場合は、図１０に示すコンテンツ指示画面で、音楽、静止画、動画、データなどのコンテンツの指定を行なう（Ｓ８）。
【００５９】
この指定が行なわれると、図１１に示す最終確認画面で顧客確認作業を行なう（Ｓ９）。例えば、書込内容の仕様確認、メディア表面印刷の仕様確認、費用確認を行なう。この確認作業が終了すると記録実行を行なう（Ｓ１０）。
【００６０】
この実施の形態の情報記録装置１は、図３（ａ），（ｂ），（ｃ）に示すように、旧メディアから新メディアへ１対１変換が行なわれる。
【００６１】
図３（ａ）は、静止画像、動画、音声などのデータの旧メディアから、圧縮効率、ファイル形式変更、容量の向上によりシェアが低下する新メディアへ変換する。
【００６２】
図３（ｂ）は、静止画像、動画、音声などのデータの旧メディアから、静止画像、動画、音声などのデータに加え、付加された参照用データ（ダイジェスト版のデータ、表情判定、人物判定、場面判定のデータ、カラーマネジメントデータ）の新メディアへ変換する。
【００６３】
図３（ｃ）は、静止画像、動画、音声などのデータと付加された参照用データ（ダイジェスト版のデータ、表情判定、人物判定、場面判定のデータ、カラーマネジメントデータ）の旧メディアから、静止画像、動画、音声などのデータに加え、新たに作成された参照用データ（ダイジェスト版のデータ、表情判定、人物判定、場面判定のデータ、カラーマネジメントデータ）の新メディアへ変換する。
【００６４】
このような１対１変換の場合、図３（ａ）の変換が通常であるが、図３（ｂ）の変換とすることでユーザに利便性を提供できる。また、図３（ｃ）は、主要人物を減らす、撮影時間を限定するなどで、データ量が減る場合であるが、この場合も参照用データは新規に、新メディアに記録されるべきデータを元に作成し記録されることが望ましい。
【００６５】
また、この実施の形態の情報記録装置１は、図４に示すように、旧メディアから新メディアへ１対１変換が行なわれる。図４は、静止画像、動画、音声などのデータの旧メディアから、すでに書き込まれているデータ部分と、追記の静止画像、動画、音声などのデータと旧メディア▲１▼と旧メディア▲２▼のデータとを元にして新たに付加された参照用データ（ダイジェスト版のデータ、表情判定、人物判定、場面判定のデータ、カラーマネジメントデータ）の新メディアへ変換する。
【００６６】
このような１対１変換の場合は、すでに記録済みの静止画像データ等と新規書き込みの静止画像データ等を参考に参照用データを新規に作成することが望ましい。その場合、１）古くなる参照用データを第２優先とする。２）このデータへのアクセスを禁止する。３）このデータを削除する等のいずれかの処理をすることが望ましい。
【００６７】
また、この実施の形態の情報記録装置１は、図５に示すように、旧メディアから新メディアへ多対１変換が行なわれる。旧メディア▲１▼〜旧メディア▲４▼から新メディアへ変換が行なわれる。
【００６８】
旧メディア▲１▼は、静止画像、動画、音声などのデータと、参照用データ（ダイジェスト版のデータ、表情判定、人物判定、場面判定のデータ、カラーマネジメントデータ）が記録されている。旧メディア▲２▼は、静止画像、動画、音声などのデータが記録されている。旧メディア▲３▼は、静止画像、動画、音声などのデータと、参照用データ（ダイジェスト版のデータ、表情判定、人物判定、場面判定のデータ、カラーマネジメントデータ）が記録されている。また、旧メディア▲４▼は、静止画像、動画、音声などのデータが少なく記録され、空き容量が多くある。
【００６９】
新メディアは、静止画像、動画、音声などのデータと、旧メディア▲１▼とすべてのデータとを元にして新たに付加された参照用データ（ダイジェスト版のデータ、表情判定、人物判定、場面判定のデータ、カラーマネジメントデータ）が記録されている。
【００７０】
このように、多対１変換の場合、収録する旧メディアすべてのデータとを元にして付加された、参照用データ（ダイジェスト版のデータ、表情判定、人物判定、場面判定のデータ）を新媒体の新メディアに付加する。
【００７１】
この情報記録装置１は、複数の情報源であるメディア３から情報が入力され、この入力した複数の情報のうち、重複する情報は１個のみを記録する手段を備え、重複する情報は１個のみを記録することで、重複する不要な情報を除くことができる。
【００７２】
また、複数の情報源のうち、ファイル名が同じでも、内容が全く同じで無いものはそれぞれ記録する手段を備え、ファイル名が同じでも、内容が全く同じで無いものはそれぞれ記録することで、ファイル名が同じでも重複しない必要な情報が削除されることを防止することができる。この場合、ファイル名を変更するか、別のディレクトリに収録するなどして、紛れないように記録することが望ましい。
【００７３】
また、複数の情報源のうち、ファイル名が同じではなくとも、内容が全く同じ場合は１個のみを記録する手段を備え、ファイル名が同じではなくとも、内容が全く同じ場合は１個のみを記録ことで、ファイル名が異なっていても重複する不要な情報を除くことができる。
【００７４】
この情報記録装置１は、図６に示すように、メディア変換注文表の画面１０を有する。このメディア変換注文表の画面１０において、メディア統合にあたり、所定の事項指定を行なうようになっている。この指定は、所定位置をカーソル１１でクリックすることで指定する。
【００７５】
この所定の事項としては、アルバムの主要人物の指定１２、成長した同一人物の指定１３、削除する主要人物の指定１４、色調の統一の指定１５、音楽の指定１６、ダイジェスト版の指定１７及び撮影日時範囲指定１８が設けられている。
【００７６】
アルバムの主要人物の指定１２では、人物の特徴を有するイラスト画像の表示をチェックすることで主要人物の指定を行なう。従来の主要人物には、自動的にチェックが入っているものとし、新たに指定する場合には、検索ページへの欄ボタン１８をカーソル１１でクリックすることで、図７の人物検索ページの画面２０を開く。
【００７７】
成長した同一人物の指定１３では、自動判別で判断困難となった人物のみ指定する。Ａブロック１３ａとＢブロック１３ａが設けられ、それぞれのＡブロック１３ａとＢブロック１３ａでと同一人物をチェックする。
【００７８】
削除する主要人物の指定１４では、人物の特徴を有するイラスト画像の表示をチェックし、新たに指定する場合には、検索ページへの欄ボタン１９をカーソル１１でクリックすることで、図７の人物検索ページの画面２０を開く。チェックする項目は、写真表示禁止、マスク処理、ファイル削除等が設けられている。
【００７９】
色調の統一の指定１５では、最新の色調に変更（推奨）、複数の旧版の色調をそのまま再収録、タイムスケールオプション（最近のものを彩度高く、古いものを彩度さげ、色あせたトーンにする）のチェック位置をカーソル１１でクリックすることで指定する。
【００８０】
音楽の指定１６では、最新に変更（有料）、最新に変更（無料範囲のみ）、複数の旧版の音楽をそのまま再収録、他のコンテンツを含めて詳細指定のチェック位置をカーソル１１でクリックすることで指定する。この他のコンテンツを含めて詳細指定を行なうと、図１０に示すコンテンツ指示画面５０が開く。
【００８１】
このコンテンツ指示画面５０では、旧メディアからコピー可能なコンテンツ５１、旧メディアからコピーが有料なコンテンツ５２、新たに無料で使用可能なコンテンツ５３、所定金額の予算内で使用可能なコンテンツ５４で、それぞれの選択肢を選び指定する。旧メディアからコピーが有料なコンテンツ５２では、選択したコンテンツによってコンテンツ使用料５２ａが表示される。所定金額の予算内で使用可能なコンテンツ５４では、所定金額の予算が予算はアップダウンスクロールバ−５４ａで変更可能であり、選択したコンテンツによってコンテンツ使用料５４ｂが表示される。
【００８２】
コンテンツ使用料確認のためのボタン５５をクリックすれば、合計コンテンツ使用料５５ａが表示され、すべて無料ですませれば０円の表示となる。合計金額を確認してから送信ボタン５６をクリックして送信して指定し、最後に確認をとって送信する。
【００８３】
このように、複数の情報源のコンテンツの複製する権利を確認する手段を備え、コンテンツとは、音楽、動画、静止画、データ等の形態であり、コンテンツの権利を確認するもので、不正行為なく安全、合法な複製ができる。この確認は、著作権に関して問合せに答えるサーバに問い合わせる等の手段で行い、コンテンツは顧客のデータに更に魅力を付け加えることができる。
【００８４】
複数の情報源のコンテンツを記録する際に、費用が発生する場合には、その金額を記録する前にボタン５５のクリックで確認できる。コンテンツの複製が有料である場合は、顧客にそれを確認することができ、顧客は、支払いたくなければ、そのコンテンツを複製しない等の手段を取れる。
【００８５】
また、複数の情報源のコンテンツの複製する際に、有料で使用できる新たなコンテンツを追加記録することができ、有料コンテンツの追加記録により、新メデイアをさらに思い出深い、魅力あるものとすることができる。
【００８６】
追加記録において、その金額を記録する前にボタン５５のクリックで確認できる。有料コンテンツの金額は、顧客はそれを確認することができる。顧客は、顧客の予算粋と比較しながら、コンテンツの採用、不採用を選択できることが望ましい。
【００８７】
また、複数の情報源のコンテンツの複製する際に、無料で使用できる新たなコンテンツを追加記録することができ、無料で使用できる新たなコンテンツを追加記録することで、特別な追加料金無く新メデイアをさらに思い出深い、魅力あるものとすることができる。
【００８８】
ダイジェスト版の指定１７では、統合（演奏時間５分）、時間縮小（演奏時間３分）、時間拡大（演奏時間１０分）、複数のダイジェスト版をそのまま再収録のチェック位置をカーソル１１でクリックすることで指定する。
【００８９】
撮影日時範囲指定７０では、全範囲（推奨）、範囲指定を選択して指定し、範囲指定では開始年月日と終了年月日を入力する。
【００９０】
図７は人物検索ページを示す。この人物検索ページの画面２０は、撮影時期で検索２１、表情で検索２２、年中行事で検索２３、場所で検索２４、動作で検索２５の項目で検索を行なう。撮影時期で検索２１では、撮影時期を入力する。表情で検索２２では、笑顔、泣き顔、端正な顔等のチェック位置をカーソル１１でクリックすることで指定する。年中行事で検索２３では、ローソク、ケーキ、靴下、運動会、・・・特定の行事を示す物体のチェック位置をカーソル１１でクリックすることで指定する。場所で検索２４では、ジェットコースター、お城などの特定の観光・娯楽施設を示す物体のチェック位置をカーソル１１でクリックすることで指定する。動作で検索２５では、握手、拍手、バンザイ、乾杯などの儀式を示す動作、キス、抱擁などの親愛の感情を示す動作、テープカットやゴールインなど、決定的瞬間を示す動作のチェック位置をカーソル１１でクリックすることで指定する。
【００９１】
この情報記録装置では、図６及び図７に示すように指定して、図８に示す変換指定画面により旧メディアの情報の変換を指定して新メディアに情報を記録する。
【００９２】
この実施の形態の変換指定画面３０は、１対１変換実行３１の指定で旧メディアの読み込みと、新メディアに記録を行なう。多対１変換実行３２の指定で旧メディアの読み込みと、新メディアに記録を行なう。
【００９３】
音楽記録実行３３のクリックで最新の音楽に付け替えることができる。音楽は追加料金で許される範囲で最新のものに付け替える手段を備え、サーバ２を介してインターネットの回線３から最新の音楽をダウンロードして新メディアに記録し、低コストで効率的に最新の音楽に付け替えることができる。
【００９４】
また、無料で使える楽曲のなかで最新のものに付け替える手段を備え、無料で使える楽曲のなかで最新のものを記録することで、低コストで最新の音楽に付け替えることができる。
【００９５】
タイトル作り直し実行３４のクリックで、作成画面を開き、情報の分類タイトルを作り直す。情報の分類タイトルを作り直す手段を備え、図９に示すように、愛子０歳〜２歳の旧メディアと、愛子２歳〜５歳の旧メディアと、愛子５歳〜９歳の旧メディアとを変換して新メディアに移し替えたら分類タイトルを『愛子０歳〜９歳』とし、情報の分類タイトルを作り直し、最適で好ましいタイトルにすることができる。
【００９６】
この情報の分類タイトルは、年代を示すタイトルは総合し、記録内容に応じたタイトルになり、再生する場合にも便利である。
【００９７】
また、情報の分類タイトルは、静止画像、動画、その他データを時間軸でそろえ直し、時間軸でそろえ直すことで、時間軸に応じて自然が再生が可能になる。
【００９８】
また、この情報記録装置では、メニューを作り直す手段を備え、メニューの作り直し実行３５のクリックで、例えばメニューで０歳から９歳まで選べるようにする。また、家族が増えたら、その家族のメニューも付加する。記録内容に応じたメニューができ、再生等に便利である。
【００９９】
また、この情報記録装置では、ダイジェスト版を作り直す手段を備え、ダイジェスト版の作り直し実行３６のクリックで、ダイジェスト版を作り直すことで、記録内容に応じたダイジェスト版にすることができる。
【０１００】
例えば、ダイジェスト版は、内容の重要部分を集めたダイジェスト版に作り直すことで、最適で、かつ限られた容量のダイジェスト版にすることができる。
【０１０１】
重要場面は、特徴のある表情、年中行事、場所、動作のいずれかを含み、好みや必要に応じたダイジェスト版を作ることができる。年中行事としては、例えば、ローソク、ケーキ、靴下、虫取り網、などの特定の行事を示す物体等がある。また、場所としては、ジェットコースター、お城などの特定の観光・娯楽施設を示す物体がある。動作としては、１．握手、拍手、バンザイ、乾杯などの儀式を示す動作、２．キス、抱擁などの親愛の感情を示す動作、３．テープカットやゴールインなど、決定的瞬間を示す動作などがある。
【０１０２】
また、この情報記録装置では、情報の圧縮方法を最新のものにして記録する手段を備え、情報の圧縮方法を最新のものにして記録することで、限られた記憶容量に多くの情報を記憶することができる。
【０１０３】
また、自動人物判定及び／または内容の重要部分抽出を最新の方式を用いて付与し直す手段を備え、最新の方式を用いて付与し直すことで、簡単かつ確実に画像処理を行なうことができる。例えば、アルバムでの主人公となるべき人物、すなわち主要人物を特定することができる。そのような人物を、家族の変化とともに増やすことができる。またユーザにより指定することができることが望ましい。
【０１０４】
また、複数のメディアを一つにまとめるので、人物の判定材料が増え、技術の進歩とあわせて、より高精度に判定できる。
【０１０５】
さらに、判定ミスがあった場合は訂正し、訂正は、書面、Ｅ−ｍａｉｌなどで新メディア製作者に指示ができるものとする。この判定方式、判定した日付を新メディア内または顧客用のデータベースに記録しておくことが望ましく、それにより判定し直すかどうか新メディアを作成し直すがどうかを判断できる。
【０１０６】
また、この情報記録装置では、特定人物の削除及び／または表示禁止する手段を備え、特定人物の削除及び／または表示禁止することで、例えば離婚、離別した人物の写っている画像の扱いを変更することができ、具体的には▲１▼表示の禁止、▲２▼表示時にマスクする、▲３▼ファイルの削除等が行なわれる。
【０１０７】
この変換実行画面により旧メディアの情報を変換して新メディアに情報を記録するには、支払いボタン３７をクリックして記録する情報の複製する権利を前払いによりメディアに付与し、確実に料金を徴収することができる。
【０１０８】
また、記録する情報のメディアの表面に印刷する画像、タイトルを、図９に示すように変更し、メディアの保管や整理に便利である。
【０１０９】
また、記録する情報のカラーマネジメントを最新のものにし、最新の分析技術により解析し、判定しなおすかどうかを判断できる。
【０１１０】
また、記録する情報の撮影日時範囲の指定し、例えば子供が独立するときに等に、ある範囲以降に限定するなどの使い方ができる。
【０１１１】
図１１に示す最終確認画面６０では、記録開始ボタン６１をクリックすると記録を開始する。最終確認事項として、タイトル６２の確認、メニュー６３の確認、メディア６４の確認、費用６５の確認等がある。タイトル６２の確認では、タイトルがメニューの内容と一致しているか否か等の確認を行なう。メニュー６３の確認では、メニューが新メディアを起動させると立ち上がる画面のプレビューであり、その項目をクリックするとその写真にジャンプすることになる。メディア６４の確認では、メディアの表面印刷の画像プレビューの確認を行なう。費用６５の確認では、総合計の費用の確認を行なう。この最終確認が終了すると記録開始ボタン６１をクリックして記録を開始する。また、最終確認で訂正が必要な場合は、戻るボタン６６をクリックして訂正が必要な画面に移行する。
【０１１２】
【発明の効果】
前記したように、請求項１に記載の発明では、複数の情報源のうち、重複する情報は１個のみを記録することで、重複する不要な情報を除くことができる。
【０１１３】
請求項２に記載の発明では、複数の情報源のうち、ファイル名が同じでも、内容が全く同じで無いものはそれぞれ記録することで、ファイル名が同じでも重複しない必要な情報が削除されることを防止することができ、この場合、ファイル名を変更するか、別のディレクトリに収録するなどして、紛れないように記録することが望ましい。
【０１１４】
請求項３に記載の発明では、複数の情報源のうち、ファイル名が同じではなくとも、内容が全く同じ場合は１個のみを記録することで、ファイル名が異なっていても重複する不要な情報を除くことができる。
【０１１５】
請求項４に記載の発明では、コンテンツとは、音楽、動画、静止画、データ等の形態であり、コンテンツの権利を確認するもので、不正行為なく安全、合法な複製ができる。
【０１１６】
請求項５に記載の発明では、コンテンツの複製が有料である場合は、顧客にそれを確認することができ、顧客は、支払いたくなければ、そのコンテンツを複製しない等の手段を取れる。
【０１１７】
請求項６に記載の発明では、有料コンテンツの追加記録により、新メデイアをさらに思い出深い、魅力あるものとすることができる。
【０１１８】
請求項７に記載の発明では、有料コンテンツの金額は、顧客はそれを確認することができ、顧客は、顧客の予算粋と比較しながら、コンテンツの採用、不採用を選択できる。
【０１１９】
請求項８に記載の発明では、無料で使用できる新たなコンテンツを追加記録することで、特別な追加料金無く新メデイアをさらに思い出深い、魅力あるものとすることができる。
【０１２０】
請求項９に記載の発明では、情報の分類タイトルを作り直し、最適で好ましいタイトルにすることができる。
【０１２１】
請求項１０に記載の発明では、年代を示すタイトルは総合することで、内容に応じたタイトルになり、再生する場合にも便利である。
【０１２２】
請求項１１に記載の発明では、情報の分類タイトルは、静止画像、動画、その他データを時間軸でそろえ直すことで、時間軸に応じて自然な再生が可能になる。
【０１２３】
請求項１２に記載の発明では、メニューを作り直すことで、記録内容に応じたメニューができ、再生等に便利である。
【０１２４】
請求項１３に記載の発明では、ダイジェスト版を作り直すことで、記録内容に応じたダイジェスト版にすることができる。
【０１２５】
請求項１４に記載の発明では、ダイジェスト版は、内容の重要部分を集めたダイジェスト版に作り直すことで、最適で、かつ限られた容量のダイジェスト版にすることができる。
【０１２６】
請求項１５に記載の発明では、重要場面は、表情、年中行事、場所、動作のいずれかを含むこと、好みや必要に応じたダイジェスト版を作ることができる。
【０１２７】
請求項１６に記載の発明では、情報の圧縮方法を最新のものにして記録することで、限られた記憶容量に多くの情報を記憶することができる。
【０１２８】
請求項１７に記載の発明では、自動人物判定及び／または内容の重要部分抽出を最新の方式を用いて付与し直すことで、簡単かつ確実に画像処理を行なうことができる。
【０１２９】
請求項１８に記載の発明では、特定人物の削除及び／または表示禁止することで、例えば離婚、離別した人物の写っている画像の扱いを変更することができる。
【０１３０】
請求項１９に記載の発明では、記録する情報の複製する権利を前払いによりメディアに付与することで、確実に料金を徴収することができる。
【０１３１】
請求項２０に記載の発明では、記録する情報のメディアの表面に印刷する画像、タイトルを変更することで、メディアの保管や整理に便利である。
【０１３２】
請求項２１に記載の発明では、記録する情報のカラーマネジメントを最新のものにすることで、最新の分析技術により解析し、判定しなおすかどうかを判断できる。
【０１３３】
請求項２２に記載の発明では、記録する情報の撮影日時範囲の指定することで、例えば子供が独立するときに等に、ある範囲以降に限定するなどの使い方ができる。
【図面の簡単な説明】
【図１】情報記録装置の概略構成図である。
【図２】情報記録装置の新メディア作成フローチャートである。
【図３】旧メディアから新メディアへ１対１変換を示す図である。
【図４】旧メディアから新メディアへ１対１変換を示す図である。
【図５】旧メディアから新メディアへ多対１変換を示す図である。
【図６】メディア変換注文表の画面を示す図である。
【図７】人物検索ページの画面を示す図である。
【図８】変換指定画面を示す図である。
【図９】記録する情報のメディアの表面に印刷する画像、タイトルを示す図である。
【図１０】コンテンツ指示画面を示す図である。
【図１１】最終確認画面を示す図である。
【符号の説明】
１  情報記録装置
２  サーバ
３  回線
４  メディア
５  スキャナ
【図１】
2004342272.tif 000003
【図２】
2004342272.tif 000004
【図３】
2004342272.tif 000005
【図４】
2004342272.tif 000006
【図５】
2004342272.tif 000007
【図６】
2004342272.tif 000008
【図７】
2004342272.tif 000009
【図８】
2004342272.tif 000010
【図９】
2004342272.tif 000011
【図１０】
2004342272.tif 000012
【図１１】
2004342272.tif 000013